(57)【特許請求の範囲】
【請求項１】
コンロ本体と、該コンロ本体の上面を覆う天板と、該天板に形成されたバーナ用開口を介して一部が露出するガスバーナとを備えるガスコンロであって、
前記ガスバーナが、前記バーナ用開口に下流端部を臨ませた混合管と、前記天板上に露出するバーナ本体とを有し、バーナ本体の下面中央部に突設した筒状の混合気流入部を混合管の下流端に嵌合させて混合管からの混合気をバーナ本体に供給するように構成され、前記混合管の下流端部の外周壁とバーナ用開口の周縁との間に形成される環状の間隙を全周にわたり閉塞する閉塞板を、前記バーナ本体と同心となるように前記混合管に連結して設けたものにおいて、
前記閉塞板は、その外周部下面がバーナ用開口の周縁に沿った天板上面にパッキンを介して当接され、
前記パッキンは、前記閉塞板が非当接状態にあるとき、前記天板に対して移動自在に設けられていることを特徴とするガスコンロ。
【請求項２】
前記閉塞板は、その外周から混合管の下流端部に向って次第に高さが増加する形状に形成されていることを特徴とする請求項１記載のガスコンロ。
【請求項３】
前記天板から露出するバーナ本体の周囲に五徳が設けられ、
該五徳は、その下部内側面が前記閉塞板の外周部に嵌合して位置決めされることを特徴とする請求項１又は２記載のガスコンロ。
【請求項４】
前記五徳は、前記閉塞板に載置されることを特徴とする請求項３記載のガスコンロ。
【発明の詳細な説明】
【技術分野】
【０００１】
本発明は、コンロ本体と、該コンロ本体の上面を覆う天板と、該天板に形成されたバーナ用開口を介して一部が露出するガスバーナとを備えるガスコンロに関する。
【背景技術】
【０００２】
従来、ガスコンロにおいては、天板のバーナ用開口とガスバーナとの間からコンロ本体内部に吹きこぼれた煮汁や異物が侵入しないように、バーナ用開口とガスバーナとの間を閉塞する閉塞板を設けることが行われている（例えば、特許文献１参照）。
【０００３】
この種の閉塞板は、天板のバーナ用開口の周縁部にパッキンを介して載置され、取り外し自在に設けられている。
【先行技術文献】
【特許文献】
【０００４】
【特許文献１】特開２００４−９３０５６号公報
【発明の概要】
【発明が解決しようとする課題】
【０００５】
しかし、従来の閉塞板は、天板上に載置されている構成であるため、ガスバーナや天板に対して位置ずれも生じ易く、閉塞状態が不十分であるだけでなく、外観上も好ましくない。また、掃除等の手入れの際に容易に天板から容易に取り外すことができる反面、バーナ本体の掃除等の手入れの際にバーナ用開口が開放されるので、異物がコンロ本体内部に落下侵入するおそれがある。
【０００６】
上記の点に鑑み、本発明は、混合管の下流端部と天板のバーナ用開口との間を確実に閉塞することができ、良好な外観が得られて生産性も高いガスコンロを提供することを目的とする。
【課題を解決するための手段】
【０００７】
本発明は、コンロ本体と、該コンロ本体の上面を覆う天板と、該天板に形成されたバーナ用開口を介して一部が露出するガスバーナとを備えるガスコンロであって、
前記ガスバーナが、前記バーナ用開口に下流端部を臨ませた混合管と、前記天板上に露出するバーナ本体とを有し、バーナ本体の下面中央部に突設した筒状の混合気流入部を混合管の下流端に嵌合させて混合管からの混合気をバーナ本体に供給するように構成され、前記混合管の下流端部の外周壁とバーナ用開口の周縁との間に形成される環状の間隙を全周にわたり閉塞する閉塞板を、前記バーナ本体と同心となるように前記混合管に連結して設けたものにおいて、前記閉塞板は、その外周部下面がバーナ用開口の周縁に沿った天板上面にパッキンを介して当接され、前記パッキンは、前記閉塞板が非当接状態にあるとき、前記天板に対して移動自在に設けられていることを特徴とする。
【０００８】
本発明によれば、閉塞板を混合管に連結したことにより、バーナ本体を混合管から取り外しても、閉塞板は混合管とバーナ用開口との間の閉塞状態を維持するので、バーナ本体の掃除等の手入れの際にバーナ用開口を介して異物がコンロ本体内部に落下侵入することを確実に防止することができる。
【０００９】
また、閉塞板を混合管に連結したことにより、混合管に組み付けたバーナ本体と天板のバーナ用開口とに軸心ずれが生じても、閉塞板がバーナ用開口を確実に閉塞することができ、コンロ本体内部への異物や吹きこぼれた煮汁の侵入を防止することができる。しかも、閉塞板がバーナ用開口を閉塞していることによってコンロ本体とバーナ用開口との位置ずれは露出せず、外観の低下を防止することができる。更に、従来のように閉塞板を天板のバーナ用開口の内周縁に沿って固定するための手段が不要となり、部品点数も少なく、組み付け容易であるので生産性も高い。
【００１０】
また、本発明において、前記閉塞板は、その外周から混合管の下流端部に向って次第に高さが増加する形状に形成されていることが好ましい。これによれば、天板の上面に沿って流れる燃焼用の二次空気がバーナ本体に向うとき、閉塞板によって上昇方向に案内されるので、燃焼中のバーナ本体に二次空気を円滑に供給することができ、ガスバーナの良好な燃焼を得ることができる。また、吹きこぼれた煮汁が閉塞板上に溜まることがなく、閉塞板への汚れの付着による外観の低下が防止でき、汚れの拭き取り作業も容易であるため掃除等の手入れ性もよい。
【００１１】
また、本発明においては、前記天板から露出するバーナ本体の周囲に五徳が設けられ、該五徳は、その下部内側面が前記閉塞板の外周部に嵌合して位置決めされることが好ましい。五徳は、閉塞板により位置決めされた状態となっているので、バーナ本体の軸心と五徳の軸心を一致させることができ、バーナ本体に対する五徳の位置を良好な状態に維持することができる。
【００１２】
更に、前記五徳は、前記閉塞板に載置されることが好ましい。これによれば、コンロ本体の歪みや天板の歪み等によりコンロ本体に支持されたガスバーナと天板との相対的な高さの変形に影響を受けることなく、バーナ本体に対する五徳の高さを一定に維持することができる。
【００１３】
また、本発明の前記閉塞板は、その外周部下面がバーナ用開口の周縁に沿った天板上面にパッキンを介して当接され、前記パッキンは、前記閉塞板が非当接状態にあるとき、前記天板に対して移動自在に設けられている。
【００１４】
一般に、ガスバーナはコンロ本体に取り付け支持されるが、コンロ本体へのガスバーナの取り付け誤差により、天板のバーナ用開口に対してバーナ本体が軸心ずれを起こすことがある。このとき、バーナ用開口の内周縁にパッキンが嵌合して取り付けられている場合には、パッキンに対して閉塞板が位置ずれを起こす。このため、パッキンにより閉塞板とバーナ用開口との間を十分に封止できないだけでなく、閉塞板からパッキンの一部がはみ出して外観が低下するおそれがある。
【００１５】
そこで、本発明においては、閉塞板が非当接状態にあるときのパッキンを移動自在としたことにより、バーナ用開口とバーナ本体との軸心ずれが生じていても、そのずれ寸法に応じてパッキンが移動するので、軸心ずれの影響を受けることなく閉塞板とバーナ用開口との間を確実に密封することができ、外観の低下も防止することができる。
【図面の簡単な説明】
【００１６】
【図１】本発明の実施形態のガスコンロの一部の平面図。
【図２】本実施形態のガスコンロの要部の断面図。
【図３】本実施形態のガスコンロに備えるガスバーナを示す斜視図。
【発明を実施するための形態】
【００１７】
以下、本発明の実施形態を図面を参照して説明する。本実施形態のガスコンロは、図１及び図２に要部を示すように、ガスバーナ１と、ガスバーナ１の周囲に設けられた五徳２とを備えている。
【００１８】
ガスバーナ１は、ガスコンロの一部を構成する天板３上に露出するバーナ本体４と、ガスコンロの他部を構成するコンロ本体５の内部で、底板６に台座部７を介して連結固定される混合管８とを備えている。混合管８の下流端部８ａは上向きに開口している。
【００１９】
図２に示すように、天板３は、コンロ本体５の上面を覆うように設けられ、バーナ本体４よりも大径のバーナ用開口９が形成された天板本体１０と、天板本体１０のバーナ用開口９を覆う閉塞板１１とで構成されている。天板本体１０は、金属板或いはガラス板により平坦に形成されており、閉塞板１１は、金属板により形成されている。
【００２０】
閉塞板１１には、中央部に混合管８の下流端部８ａが挿着される挿着孔１２が開設されている。また、閉塞板１１は、その外周から混合管８の下流端部８ａに向って段差を介して次第に高さが増加する形状に形成されている。
【００２１】
これによれば、調理の際に吹きこぼれた煮汁が溜まらずに外周に流すことができ、汚れが付着することによる外観の低下が防止でき、汚れの拭き取り作業も容易であるため掃除等の手入れ性もよい。
【００２２】
閉塞板１１は、天板３の一部を構成するものであるが、天板３には連結されていず、ガスバーナ１の混合管８にねじ部材１３により連結固定されている。閉塞板１１は、挿着孔１２に混合管８の下流端部８ａを挿着したとき、バーナ本体４と同心となる円形に形成されている。
【００２３】
閉塞板１１の外周部下面は、バーナ用開口９の周縁に沿った天板本体１０の上面にパッキン１４を介して当接されている。パッキン１４は、天板本体１０の上面に密着するシール部１４ａと、該シール部１４ａの外周に張り出して閉塞板１１の外周縁が当接する鍔部１４ｂと、シール部１４ａの内周から下方に延びる垂下部１４ｃとで構成されている。パッキン１４の垂下部１４ｃの外径は、バーナ用開口９の内径よりも少し小さく、閉塞板１１がシール部１４ａに非当接状態にあるとき（即ち、閉塞板１１の組み付け前の状態）には、前記天板本体１０に対して移動自在となっている。
【００２４】
これによれば、例えば、混合管８のコンロ本体５の底部６への取り付け位置の誤差により、混合管８に組み付けたバーナ本体４と天板３のバーナ用開口９との軸心ずれが生じても、バーナ用開口９の内周縁は、閉塞板１１の外周部により隠されるために、外観の低下が防止できる。また、前記パッキン１４は、その垂下部１４ｃの外径がバーナ用開口９の内径よりも少し小さく、天板本体１０に対して移動自在となっている。このため、混合管８に連結された閉塞板１１とバーナ用開口９とに軸心ずれが生じていても、そのずれ寸法に応じてパッキン１４が移動して、閉塞板１１の外周部下面とバーナ用開口９の周縁に沿った天板本体１０の上面との間を確実に密封することができる。
【００２５】
五徳２は、環状の五徳枠２ａとこの五徳枠２ａの周方向に所定間隔を存してに固定支持された５つの五徳爪２ｂとからなる。五徳枠２ａは閉塞板１１の外周部に形成された段差に嵌合し、位置決めされた状態で閉塞板１１上に載置される。
【００２６】
即ち、五徳２は、閉塞板１１を介して混合管８に載置された状態となっている。これによれば、混合管８に組み付けられたバーナ本体４の軸心と五徳２の軸心を一致させることができる。更に、コンロ本体５に歪み等が発生して天板本体１０と底部６との距離が変化しても、五徳２は、混合管８に連結された閉塞板１１に載置されていることにより、バーナ本体４と五徳２上に載置した鍋底との間隔距離を一定に維持することができる。
【００２７】
なお、図示しないが、五徳が天板本体１０上に載置される形状のものであっても、環状の五徳枠の内周面を閉塞板１１の外周部に嵌合させることにより、バーナ本体の軸心と五徳の軸心を一致させることができる。また、例えば、各五徳爪の下端縁が載置面となる五徳の場合には、各五徳爪の下部内側面を閉塞板１１の外周部に嵌合するようにしてもよい。
【００２８】
バーナ本体４は、親バーナ部１５と子バーナ部１６とを備えて所謂親子バーナを構成している。混合管８は、図３に示すように、親バーナ部１５に混合ガスを供給する親バーナ用混合管部１７と、子バーナ部１６に混合ガスを供給する子バーナ用混合管部１８とを備えている。
【００２９】
図２に示すように、混合管８の下流端部８ａは、親バーナ用混合管部１７の内側に子バーナ用混合管部１８が収容されて二重管構造とされる。
【００３０】
図１及び図２に示すように、バーナ本体４は、バーナボディ１９と、一対のバーナヘッド（親バーナヘッド２０及び子バーナヘッド２１）とにより構成されている。バーナボディ１９には、その外側に親バーナ部１５の分布室２２が形成されており、内側に子バーナ部１６の分布室２３が形成されている。親バーナ部１５の分布室２２上に親バーナヘッド２０が載置されることにより、親バーナ部１５の外周に複数の親バーナ炎孔２４が形成され、子バーナ部１６の分布室２３上に子バーナヘッド２１が載置されることにより、子バーナ部１６の外周に複数の子バーナ炎孔２５が形成される。
【００３１】
また、バーナボディ１９の下面中央部には、混合管８の下流端部８ａに対応して筒状の混合気流入部２６が設けられている。図２に示すように、混合気流入部２６は、外側に位置する親バーナ用通路２７と、その内側の子バーナ用通路２８とで構成されている。混合気流入部２６が混合管８の下流端部８ａに嵌合すると、親バーナ用通路２７が親バーナ用混合管部１７に連通すると同時に、子バーナ用通路２８が子バーナ用混合管部１８に連通する。なお、混合気流入部２６は、混合管８の下流端部８ａに着脱自在に嵌合し、掃除等の手入れの際にはバーナ本体４を混合管８から容易に取り外せるようになっている。
【００３２】
また、混合気流入部２６は、図２に示すように、バーナボディ１９の子バーナ部１６の下部位置に配置されているため、親バーナ用通路２７は、図１及び図２に示すように、子バーナ部１６の側から放射状に延びる連絡管部２９により親バーナ部１５の分布室２２に連通するようになっている。
【００３３】
また、前記混合管８の親バーナ用混合管部１７と子バーナ用混合管部１８との夫々の上流端には、図示しないガスノズルが臨む。ガスノズルから燃料ガスが噴出されると、燃料ガスの噴出に伴い一次空気が吸引され、混合ガスが生成される。
【００３４】
図２に示すように、親バーナヘッド２０の一部には、点火ターゲット３０が形成されている。点火ターゲット３０は、支持部材３１を介して混合管８に支持された点火プラグ３２の先端に対向し、点火プラグ３２の放電を受けて親バーナ部１５に点火する。点火プラグ３２は、閉塞板１１を貫通して上方に延びている。なお、図１において符号３３で示すものは子バーナ部１６の着火を検知する熱電対である。図示しないが、熱電対３３も、点火プラグ３２と同様に混合管８に支持されており、閉塞板１１を貫通して上方に延びている。
【００３５】
親バーナ部１５で形成される火炎は、図１及び図３に示すように、親バーナヘッド２０に形成された火移り用のスリット２０ａを介して子バーナ部１６に火移りし、これによって子バーナ部１６が点火される。子バーナ部１６で形成される火炎には前記連絡管部２９の間の空隙から二次空気が供給される。このとき、閉塞板１１は、その外周から混合管８の下流端部８ａに向って段差を介して次第に高さが増加する形状に形成されていることにより、天板の上面からバーナ本体４に向って上昇する二次空気流を形成する。このため、親バーナ部１５だけでなく子バーナ部１６にも十分な量の二次空気を供給することができ、良好な燃焼状態を得ることができる。
【００３６】
なお、本実施形態においては、ガスバーナ１が親バーナ部１５と子バーナ部１６とを備えるものを示したが、図示しないが、バーナ本体の中央部に混合管が嵌合する構成のガスバーナであれば、単一のバーナ部を備えるガスバーナであっても本発明を好適に採用することができる。
【符号の説明】
【００３７】
１…ガスバーナ、３…天板、２…五徳、４…バーナ本体、５…コンロ本体、８…混合管、９…バーナ用開口、１１…閉塞板、１４…パッキン、２６…混合気流入部。
【図１】
0005276080.tif 000002
【図２】
0005276080.tif 000003
【図３】
0005276080.tif 000004